(57)【特許請求の範囲】
【請求項１】
漁船近傍の海面を光源により漁船の左右舷側方向及び前後方向に照射して集魚する集魚方法において、
前記光源としての集漁灯ランプが舷の左右及び前後に複数配置され、このランプ配光による漁船の周りの水中における明るいエリアの照度が漁船を中心とした水平の略長円状の線上でほぼ均一になるようにしたことを特徴とする集魚方法。
【請求項２】
漁船下方の水中の照度が暗くなるように配光することを特徴とする請求項１記載の集魚方法。
【請求項３】
前記光源に前面ガラス付きの投光器を用いて請求項１又は請求項２記載の集魚方法を実施する照明方法。
【請求項４】
請求項１又は請求項２記載の集魚方法を実施するに際し、魚やイカが漁船付近に集まるに連れ、漁船付近に魚やイカを寄せ集めるように水中における照明の範囲及び光量を可変することを特徴とする照明方法。
【請求項５】
請求項１乃至請求項４のいずれかの集魚方法を実施するための照明システムであって、前記集漁灯ランプが、当該ランプ配光による漁船の周りの水中における明るいエリアの照度が漁船を中心とした水平の略長円状の線上でほぼ均一になるように、漁船の舷の左右及び前後に複数配置されてなる照明システム。
【請求項６】
請求項１乃至請求項４のいずれかを実施するための漁船であって、前記集漁灯ランプが、当該ランプ配光による漁船の周りの水中における明るいエリアの照度が漁船を中心とした水平の略長円状の線上でほぼ均一になるように、漁船の舷の左右及び前後に複数配置されてなる漁船。
【発明の詳細な説明】
【技術分野】
【０００１】
本発明は、漁船において海面を光照射して集魚する方法とそのための照明方法及びシステム並びに漁船に関するものである。
【背景技術】
【０００２】
従来から、漁船における集魚のための照明・配光には、漁火（かがり火）を使う方法があった。その後、光源すなわち集魚灯として、オイル灯やガス灯に替わり、自熱灯、水銀灯を経て、現在では、より効率の高いメタルハライドランプが使われている。集魚灯を使う代表的な漁業はイカ釣り漁である。沿岸で操業する２０トンクラスのイカ釣り漁船の場合、集魚灯の消費電力は自主規制にて上限（１８０ｋＷ）が決められている。
【０００３】
その照明のために、裸のメタルハライドランプ（３ｋＷが主流）を６０灯程、漁船の長手方向中心軸上の甲板から２〜３ｍ上部に、金属フレームとワイヤにて吊り下げているのが一般的である。
【０００４】
また、照明効率の向上と漁船の燃費改善を図るために、青色発光ダイオードによる面状光源を用いた集魚灯が知られている（特許文献１参照）。
【特許文献１】特開２００３−１３４９６７号公報
【発明の開示】
【発明が解決しようとする課題】
【０００５】
上記のような裸のランプを使用した照明方法においては、次の問題があった。
（１）不均一な水中配光・・・従来の照明方法では、水中には漁船の舷と平行方向に均一で比較的多くの光が届くが、漁船の前後方向には不均一かつ比較的弱い光しか届かない。集魚灯として最適な配光になっているかどうか問題である。
（２）発電エネルギーの浪費・・・裸のメタルハライドランプでは、上方へ漏れる光が大部分を占め、上方へ漏れた光は人工衛星からも確認できる程である。下方向へ放たれる約５０％の光についても、海面での全反射、甲板での反射などを考えると、凡そ８割は水中以外へ照射されている。つまり、裸ランプはその光の約９割を無駄にしているとも言える。一方、合計１８０ｋＷの集魚灯を積んだ漁船の場合、発電の燃料は１日１，０００リットル必要とされている。この燃料のほとんどは空へ光を無駄に放つために使われていることになる。エネルギーの無駄であるだけでなく、相当の二酸化炭素が排出されていることにもなる。
（３）光害・・・サーチライトはもちろん屋外の照明から夜空に漏れる強い光は、星を見え難くするとして、「ダークスカイ運動」などの非難の的となっている。イカ釣り漁船の１８０ｋＷという光の量は、小さな球場一つ分の照明光に相当する。このような光は人工衛星からも観測されるほどである。そのため、光害の原因の一つがイカ釣り漁船の漁火であると問題視されつつある。
（４）紫外線照射・・・裸のメタルハライドランプから出る紫外線が、漁師の健康（日焼けなど）に影響を及ぼす可能性を持っている。
また、上記公報に記載されたＬＥＤ面光源を用いた集魚灯においても、効率良く集魚するための配光についての開示はない。
【０００６】
本発明は、上記問題に鑑みてなされたものであり、光源からの配光を改善して、魚やイカの誘引効果及び水中への照明効率を高め、誘引した魚やイカの捕獲効率の向上が図れる集魚方法とそのための照明方法及びシステム並びに漁船を提供することを目的とする。
【課題を解決するための手段】
【０００７】
上記目的を達成するために本発明は、漁船近傍の海面を光源により漁船の左右舷側方向及び前後方向に照射して集魚する集魚方法において、前記光源としての集漁灯ランプが舷の左右及び前後に複数配置され、このランプ配光による漁船の周りの水中における明るいエリアの照度が漁船を中心とした水平の略長円状の線上でほぼ均一になるようにしたことを特徴とする。
【０００８】
上記において、漁船下方の水中の照度が暗くなるように配光すればよい。
【０００９】
また、本発明は、光源に前面ガラス付きの投光器を用いて上記の集魚方法を実施する照明方法である。
【００１０】
また、本発明は、上記の集魚方法を実施するに際し、魚やイカが漁船付近に集まるに連れ、漁船付近に魚やイカを寄せ集めるように水中における照明の範囲及び光量を可変することを特徴とする照明方法である。
【００１１】
また、本発明は、請求項１乃至請求項４のいずれかの集魚方法を実施するための照明システムであって、前記集漁灯ランプが、当該ランプ配光による漁船の周りの水中における明るいエリアの照度が漁船を中心とした水平の略長円状の線上でほぼ均一になるように、漁船の舷の左右及び前後に複数配置されてなるものである。
【００１２】
また、本発明は、請求項１乃至請求項４のいずれかを実施するための漁船であって、前記集漁灯ランプが、当該ランプ配光による漁船の周りの水中における明るいエリアの照度が漁船を中心とした水平の略長円状の線上でほぼ均一になるように、漁船の舷の左右及び前後に複数配置されてなるものである。
【発明の効果】
【００１３】
本発明によれば、次の効果が得られる。
（１）魚やイカの誘引効果の向上
魚やイカが光に集まる性質を利用して、遠方又は深い場所にいる魚やイカ、又は魚やイカの餌となる小魚やプランクトンを漁船の針や網の届く範囲に誘引するが、その際に、漁船の前後方向の少なくとも一方にも光が照射されるように配光したので、漁船の従来よりも多くの方向から魚やイカを誘引することができる。
（２）水中への照明効果の向上
漁船の前後方向にも光が照射されるように配光したことで、漁船の前部や後部でも餌となる小魚、疑似餌などが、獲物（魚やイカ）に見えやすくなり、漁船前部及び後部での釣機の釣り上げ量を増加することが期待できる。
（３）水中での光バリア効果の向上
例えば、イカを漁獲するとき、集魚灯を用いて釣り上げられた場合でも、イカは暗順応状態であることが知られている。また、イカは光に集まる性質がある一方、余り強い光は嫌うことも知られている。このことから、従来の集魚灯において、集魚灯の光が漁船の左右では舷と平行に水中に入り込み、明るい部分ができ、光が届かない漁船下部では比較的暗い部分ができる。イカは夜、水深１００ｍ以上の深いところにいて、漁船の集魚灯に誘引され、漁船に近づき、かつ上昇するが、明順応するような強い光は好まないため、漁船の下部の比較的暗い部分に身を寄せる。この暗い部分から漁船の左右に逃げようとしても、そこは集魚灯で明るく照らされているため、イカは暗い漁船下部に留まらざるを得ない（光のバリア効果）。結果的に漁船下部にはイカの密度が高い領域ができる。そこに疑似餌を下ろせば、効率良くイカを釣り上げることができる。ところが、従来の集魚灯では、漁船の前後方向に十分な光が照射されていないため、折角、漁船下部の暗い部分に集まったイカが、漁船の前後方向の暗い方には容易に逃げてしまう。
この点、本発明では、集魚灯の光を漁船の前後方向にも照射し、漁船の従来よりも多くの方向に渡って周りの水中に効率良く、かつ広範囲に入射する強い光（誘引効果）とするとともに、漁船下部の水中にイカが好むような暗い領域を作り、その明部と暗部の境界にくっきりとした照度差ができるようにし、さらに、配光による水中の明部（光のバリア）が、漁船を中心とした水平の略長円状の線上の照射部でほぼ均一になるようにしたので、漁船下部に集まった魚やイカが逃げ難くなり、かつ前後方向からもイカを誘引することができ、集魚に効果的な配光が得られる。
（４）紫外線カット
紫外線カット機能を持つ前面ガラス付きの投光器を集魚灯として使うことで、甲板上で作業する乗組員が浴びる紫外線量を低減できる。
（５）魚やイカの行動及び行動範囲の制御による漁獲の増大
集魚灯による照明範囲及び光量を、魚やイカが集まってくるに連れて変化させることで、イカ等の行動を制御したり、水中の光のバリアで行動範囲を狭めたりすることが可能と考えられる。例えば、イカを遠方から誘引する段階では、集魚灯は、より遠くの海中を照らし、イカの群れが近づいてくるに連れ、漁船下部水中の暗部のエリアを狭めるように、より近くの海中を照らす。これにより、漁船下部のイカの密度がより高まるので、そのエリアから釣れるイカの量が増大することが期待できる。
【発明を実施するための最良の形態】
【００１４】
以下、本発明による集魚方法と照明方法及びシステム並びに漁船の実施例について、図面を参照して説明する。
【００１５】
図１は、漁船の集魚灯にイカが集まるメカニズムを示している。漁船１に搭載された光源２（集魚灯ランプ）は、漁船１の周りの海面Ｓを照射する。比較的強い光で照射され明るいエリアＡ（斜線で示す）と、漁船１の下方の略錐体状の暗いエリアＢとを形成する。当初、イカ類１０は深い所に居て、光に誘われて上がって来るが、強い光を嫌って、漁船１の下にできた暗いエリアＢに集まり、そのエリアから出られなくなる。光源からの光は、カーテンのようになって水中に明暗の境界を形成し、イカにとってバリアとなる。
【００１６】
図２は、本発明の実施例１による漁船１の光源（集魚灯ランプ）の配置構成を示している。集魚灯ランプ２０は、漁船１の甲板上適宜の高さ位置であって、舷の左右、及び前後（１ｆは船首、１ｅは船尾）に複数配置し、漁船１周りの水中の照度分布を均一に近づけた。すなわち、集魚灯ランプ２０からの光は、漁船１の前後方向及び左右方向に配光され、この配光により、漁船の周りの水中における明るいエリアの照度が漁船１を中心とした水平の略長円状の線上でほぼ均一になるようにし、また、漁船１下方の水中の照度は暗くなる。集魚灯ランプ２０としては、メタルハライドランプを用いる。集魚灯ランプ２０は、金属フレームに沿って渡されたワイヤ２ｗに吊るされている。ランプの安定器は、甲板下の収納室に収められる。
【００１７】
本実施例においては、集魚灯ランプ２０からの光を漁船１の左右方向だけでなく前後方向にも照射し、漁船１の全方向に渡って魚やイカを誘引できるとともに、漁船１下部の水中に暗い領域を作り、その明部と暗部の境界ができるようにしたので、漁船１下部に集まった魚やイカが逃げ難くなり、集魚効果が高まる。
【００１８】
図３は、本発明の実施例２による漁船１の光源（集魚灯ランプ及び投光器）の配置構成を示している。この例では、漁船１の舷の左右に前記と同様の集魚灯ランプ２０を複数配置し、舷の前後に投光器２１を複数配置し、漁船１周りの水中の照度分布を均一に近づけた。投光器２１は、ステンレス又はアルミから成る器具本体が反射板を兼ねる構造とし、この反射板によって光の利用効率が高まる。また、反射板の前面にはガラス板があり、紫外線を吸収し、これにより、作業者の日焼け防止になる。投光器２１の光源としてはメタルハライドランプを用いていて、安定器は集魚灯ランプ２０の安定器と共に甲板下の収納室に収められる。
【００１９】
図４は、本発明の実施例３による漁船１の光源（集魚灯ランプ及び投光器）の配置構成を示している。この例では、前記実施例２において、舷の前後に配置される投光器２１を低い高さ位置に設けた。この種の投光器は重いことから、低い位置に設けることで、船の安定性を向上した。
【００２０】
図５は、本発明の実施例４による漁船１の光源（投光器又は灯具）の配置構成を示している。この例は、前記実施例１における集魚灯ランプ２０に代えて、反射板付きの灯具又は投光器２１を用いたものである。漁船１の前後にもランプを配置したことで、水中の配光を均一にすることができ、前記実施例と同様の効果が得られる。
【００２１】
図６は、本発明の実施例５による漁船１の光源（投光器）の配置構成を示している。この例は、前記実施例４と同等の投光器２１を用い、船の舷に光の遮蔽物３を設けた。投光器２１と遮蔽物３による光照射エリアＡに対応するところは明部となる（図示では右舷、前部にのみ光照射エリアＡを示しているが、左舷、後部にも同様のエリアがある）。これにより、水中の明部と暗部の境界の照度差が大きくなる。また、この遮蔽物３を可動として、明部と暗部の境界を移動制御できるようにしてもよい。
【００２２】
図７は、本発明の実施例６による漁船１の光源（投光器）の配置構成を示している。この例では、５０Ｗ程度のショートアークＨＩＤランプをプロジェクタ型の灯具に入れた小型の投光器２３を用い、これを船の舷に取り付けた。投光器は、水中の配光を均一にするために、漁船の前後に重点的に配置している。この投光器２３によれば、シャープな配光が得られ、暗部と明部の境界を際立たせることができる。
【００２３】
図８乃至図１２は、本発明の実施例７乃至１１による漁船１での集魚の照明方法を示している。これらの実施例は、いずれも漁船付近に魚やイカを寄せ集めるように水中における照明の範囲又は光量を可変するものである。
【００２４】
図８は、実施例７を示す。この実施例は、漁船１の支柱４に設けられた投光器２１の向きを可変とされ、照射方向を変えることができる。最初は、同図（ａ）に示すように、漁船１から遠くを投光器２１により照射して（エリアＡ１）、広範囲の魚やイカ類１０を漁船付近におびき寄せる。イカは強い光を嫌うので、漁船１付近の暗い部分に入り込む。この時の水面での光の届く範囲は、同図（ｃ）の斜線Ｂ１となり、漁船１を中心とした大きい略長円状となる。イカ類１０が漁船１付近に集まってきたら、同図（ｂ）に示すように、投光器２１の向きを変えて照射方向を変える（エリアＡ２）。この時の光の届く範囲は、同図（ｄ）の斜線Ｂ２となり、漁船１を中心とした小さい略長円状となる。これにより、イカ類１０を釣り上げ易い漁船１の底部の暗部に追い込み閉じ込めることができる。漁船１の底には超音波により物体を検知するソナー７が設けられている。
【００２５】
図９は、実施例８を示す。この実施例は、漁船１の支柱４に設けられた投光器２１の位置を可変とされ、照射範囲を変えることができる。投光器２１は支柱４に伸縮可能な筒５に取り付けられている。これにより、最初は、同図（ａ）に示すように、投光器２１は高い位置から遠くを照射し（エリアＡ１）、これにより、イカ類１０が漁船１付近に集まってきたら、同図（ｂ）に示すように、投光器２１は低い位置から近くを照射する（エリアＡ２）。このような照明制御によっても上記と同等の作用が得られる。
【００２６】
図１０は、実施例９を示す。この実施例では、漁船１の支柱４の高い位置と低い位置とにそれぞれ遠距離照射用と近距離照射用の２灯の投光器２１，２２が設けられ、照射距離を変えることができる。これにより、最初は、同図（ａ）に示すように、投光器２１をオンして遠くを照射し（エリアＡ１）、その後、同図（ｂ）に示すように、投光器２２をオンして近くを照射する（エリアＡ２）。このような照明制御によっても上記と同等の作用が得られる。
【００２７】
図１１は、実施例１０を示す。この実施例では、投光器２１は、同図（ｅ）（ｆ）に示されるように、ランプ２１ａと略放物面反射鏡２１ｂとから成り、ランプ２１ａを略放物面反射鏡２１ｂの焦点２１ｃに対して前後移動可能とされ、ランプ２１ａの移動により照射範囲を可変とされている。最初は、同図（ａ）（ｅ）に示すように、投光器２１のランプ２１ａを焦点２１ｃからずらせて、広い照射範囲を照らす（エリアＡ１）。その時、照射範囲は同図（ｃ）の斜線Ｂ１となる。その後、同図（ｂ）（ｆ）に示すように、投光器２１のランプ２１ａを焦点２１ｃに一致させ、狭角の強度の高い光を照射する（エリアＡ２）。その時、照射範囲は同図（ｄ）の斜線Ｂ２となる。このような照明制御によっても上記と同等の作用が得られる。
【００２８】
図１２は、実施例１１を示す。この実施例では、投光器２１は、同図（ｃ）に示されるように、ランプ前面一部を遮る状態と遮らない状態とを取り得る遮蔽板２１ｄを有したものを用い、遮蔽板２１ｄの移動で照射範囲を可変としている。最初は、同図（ａ）に示すように、遮蔽板２１ｄにより投光器２１の前面を遮っていない状態で、広い範囲を照射する（エリアＡ１）。その後、同図（ｂ）に示すように、遮蔽板２１ｄにより投光器２１の前面一部を遮る状態とし、エッジの鋭い配光を作り、かつ、照射方向を変える（エリアＡ２）。このような照明制御によっても上記実施例１０と同等の作用が得られる。
【００２９】
以上、実施例について説明したが、具体的な構成は、これらの実施例に限られるものではなく、例えば、漁船の前後方向への光の照射については少なくともその一方へ照射するば良いなど、本発明の要旨を逸脱しない範囲の設計変更などがあっても、本発明に含まれる。
【図面の簡単な説明】
【００３０】
【図１】本発明による漁船の集魚灯にイカが集まるメカニズムを示す説明図。
【図２】（ａ）（ｂ）（ｃ）は本発明の実施例１による漁船の光源の配置構成を示す前面図、側面図、平面図。
【図３】（ａ）（ｂ）（ｃ）は本発明の実施例２による漁船の光源の配置構成を示す前面図、側面図、平面図。
【図４】（ａ）（ｂ）（ｃ）は本発明の実施例３による漁船の光源の配置構成を示す前面図、側面図、平面図。
【図５】（ａ）（ｂ）（ｃ）は本発明の実施例４による漁船の光源の配置構成を示す前面図、側面図、平面図。
【図６】（ａ）（ｂ）は本発明の実施例５による漁船の光源の配置構成を示す前面図、側面図、平面図。
【図７】（ａ）（ｂ）は本発明の実施例６による漁船の光源の配置構成を示す前面図、側面図。
【図８】（ａ）（ｂ）は、本発明の実施例７による漁船での集魚の照明方法を示す図、（ｃ）（ｄ）は、（ａ）（ｂ）による照射範囲を示す図。
【図９】（ａ）（ｂ）は、本発明の実施例８による漁船での集魚の照明方法を示す図。
【図１０】（ａ）（ｂ）は、本発明の実施例９による漁船での集魚の照明方法を示す図。
【図１１】（ａ）（ｂ）は、本発明の実施例１０による漁船での集魚の照明方法を示す図、（ｃ）（ｄ）は、（ａ）（ｂ）による照射範囲を示す図、（ｅ）（ｆ）は（ａ）（ｂ）に対応した投光器の構成を示す図。
【図１２】（ａ）（ｂ）は、本発明の実施例１１による漁船での集魚の照明方法を示す図。（ｃ）は、投光器の斜視図。
【符号の説明】
【００３１】
１  漁船
１０  イカ類
２０  集魚灯ランプ（光源）
２１，２２，２３  投光器（光源）
【図１】
0004682506.tif 000002
【図２】
0004682506.tif 000003
【図３】
0004682506.tif 000004
【図４】
0004682506.tif 000005
【図５】
0004682506.tif 000006
【図６】
0004682506.tif 000007
【図７】
0004682506.tif 000008
【図８】
0004682506.tif 000009
【図９】
0004682506.tif 000010
【図１０】
0004682506.tif 000011
【図１１】
0004682506.tif 000012
【図１２】
0004682506.tif 000013